(57)【要約】【目的】本発明は恒温槽を使用することなく位相雑音を小さくして小型化及び小電力化を促進し（初期目的）、しかも起動特性及び発振を確実にした水晶発振器を提供する。【構成】水晶振動子と分割コンデンサを接続してなる共振回路と、前記水晶振動子と分割コンデンサの接続点にベースを前記分割コンデンサの接続点にエミッタを接続した発振用トランジスタと、前記分割コンデンサの接続点とエミッタとの間に負荷抵抗を経て接続した出力線と、前記出力線に挿入された水晶共振子とからなる水晶発振器において、前記水晶振動子と前記水晶共振子とのいずれにも温度補償機構を設けた構成とする。【選択図】図１
2005277917.tif 000002
【特許請求の範囲】
【請求項１】
水晶振動子と分割コンデンサを接続してなる共振回路と、前記水晶振動子と分割コンデンサの接続点にベースを前記分割コンデンサの接続点にエミッタを接続した発振用トランジスタと、前記分割コンデンサの接続点とエミッタとの間に負荷抵抗を経て接続した出力線と、前記出力線に挿入された水晶共振子とからなる水晶発振器において、前記水晶振動子と前記水晶共振子とのいずれにも温度補償機構を設けたことを特徴とする水晶発振器。
【請求項２】
前記温度補償機構は前記水晶振動子と前記水晶共振子とのいずれにも電圧可変容量素子を接続して補償電圧発生回路から補償電圧を印加した請求項１の水晶発振器。
【請求項３】
前記温度補償機構は前記水晶振動子と前記水晶共振子とのいずれにもサーミスタとコンデンサからなる温度補償回路を接続した請求項１の水晶発振器。
【発明の詳細な説明】
【技術分野】
【０００１】
本発明は水晶共振子を挿入して位相雑音を小さくした水晶発振器を技術分野とし、特に起動特性を良好とした水晶発振器に関する。
【背景技術】
【０００２】
（発明の背景）水晶発振器は周波数安定度等に優れることから高性能の無線機器に適用される。このようなものの一つに、位相雑音を小さくした本出願人による水晶発振器がある（特許文献１）。
【０００３】
（従来技術の一例）第３図は一従来例を説明する水晶発振器の回路図である。
【０００４】
水晶発振器は基本的に共振回路１と発振用増幅器２とから構成される。共振回路１はインダクタ成分としての水晶振動子３と分割コンデンサ４（ａｂ）からなる。発振用増幅器２はトランジスタ（発振用トランジスタ）からなり、分割コンデンサ４（ａｂ）と水晶振動子３の接続点にベースを、分割コンデンサ４（ａｂ）の接続点にエミッタを、電源Ｖccにコレクタを接続する。そして、共振回路１に依存した発振周波数を帰還増幅する。
【０００５】
そして、分割コンデンサ４（ａｂ）の接続点とエミッタとの間に負荷抵抗Ｒ1を経て出力線５を設けてなる。さらに、ここでは、出力線５に水晶共振子６を挿入してなる。図中の符号Ｒ1、Ｒ2はバイアス抵抗、Ｒ3は負荷抵抗、Ｖoutは出力端である。
【０００６】
このようなものでは、水晶共振子６の共振周波数を水晶発振器の発振周波数に概ね一致させる。これにより、発振周波数ｆの基本波成分のみが水晶共振子６を通過して狭帯域となり、位相雑音を小さくできる。
【０００７】
そして、通常では、水晶振動子３を恒温槽に収容し、温度を一定にした状態で動作させる。これにより、第４図の曲線イ（実線）で示す、水晶振動子３の周波数温度特性による周波数変化を防止する。横軸は温度、縦軸は周波数偏差Δｆ／ｆ（ppm）である。但し、ｆは発振周波数、Δｆは発振周波数ｆからのズレ分である。また、恒温槽の槽内温度は70℃前後の極小値に設定される。
【特許文献１】日本国特許第３２６８７２６号（圧電発振器、内田、橋本）
【発明の開示】
【発明が解決しようとする課題】
【０００８】
（従来技術の問題点）しかしながら、上記構成の水晶発振器では恒温槽を使用するので、電源投入から槽内温度が70℃になるまで時間が掛かり、起動特性の悪い問題があった。このことから、水晶共振子をも恒温槽に収容することが考えられたが、この場合には消費電力が増大するとともに小型化を阻害する問題があった。
【０００９】
また、水晶共振子も同様の三次曲線となる周波数温度特性を有する。したがって、例えば常温時には、水晶振動子による発振周波数ｆ1と水晶共振子の共振周波数ｆ2とは異なり、両者間の周波数差Δｆが大きくなる。これにより、発振周波数ｆ1の基本波成分が水晶共振子を通過せず、発振しない問題もあった。
【００１０】
（発明の目的）本発明は恒温槽を使用することなく位相雑音を小さくして小型化及び小電力化を促進し（初期目的）、しかも起動特性及び発振を確実にした水晶発振器を提供することを目的とする。
【課題を解決するための手段】
【００１１】
本発明は、特許請求の範囲（請求項１）に示したように、水晶振動子と分割コンデンサを接続してなる共振回路と、前記水晶振動子と分割コンデンサの接続点にベースを前記分割コンデンサの接続点にエミッタを接続した発振用トランジスタと、前記分割コンデンサの接続点とエミッタとの間に負荷抵抗を経て接続した出力線と、前記出力線に挿入された水晶共振子とからなる水晶発振器において、前記水晶振動子と前記水晶共振子とのいずれにも温度補償機構を設けた構成とする。
【発明の効果】
【００１２】
本発明では恒温槽を使用することなく、温度補償機構によって水晶振動子及び水晶共振子のいずれも温度補償する。したがって、発振周波数と共振周波数とを温度によらず所定の範囲内に近接できる。したがって、起動時においても、発振周波数は水晶共振子を通過して発振を阻害しない。これにより、起動特性及び発振を確実にして、初期目的を達成した水晶発振器を提供できる。
【発明を実施するための最良の形態】
【００１３】
本発明の請求項２で示したように、請求項１の前記温度補償機構は前記水晶振動子と前記水晶共振子とのいずれにも電圧可変容量素子を接続して補償電圧発生回路から補償電圧を印加した構成とする（所謂間接型）。
【００１４】
また、同請求項３で示したように、前記温度補償機構は前記水晶振動子と前記水晶共振子とのいずれにもサーミスタとコンデンサからなる温度補償回路を接続した構成とする（所謂直接型）。
【実施例】
【００１５】
第１図は本発明の一実施例を説明する水晶発振器の回路図である。なお、前従来例と同一部分には同番号を付与してその説明は簡略又は省略する。
【００１６】
水晶発振器は、前述したように水晶振動子３及び分割コンデンサ４（ａｂ）からなる共振回路１と、発振周波数を帰還増幅する発振用トランジスタ２と、出力線５に挿入した水晶共振子６とを備える。そして、第１実施例では、水晶振動子３と水晶共振子６とを間接型の温度補償機構によって温度補償する。
【００１７】
間接型の温度補償機構は補償電圧発生回路（ＴＣＮ）７と第１及び第２の電圧可変容量素子８（ａｂ）とからなる。補償電圧発生回路７は図示しないサーミスタと抵抗の回路網からなり、電源Ｖccとアース間に接続する。そして、周囲温度に応答した補償電圧を発生する。
【００１８】
第１電圧可変容量素子８ａは共振回路１内の水晶振動子３とアース間に接続する。第２電圧可変容量素子８ｂは分割コンデンサ４（ａｂ）の接続点と水晶共振子６との間に接続する。そして、補償電圧発生回路７からの補償電圧Ｖcを印加される。図中の符号Ｒ4、Ｒ5は高周波素子抵抗、Ｒ6はバイアス抵抗である。
【００１９】
このようなものでは、周囲温度に応答した補償電圧Ｖcが第１及び第２電圧可変容量素子８（ａｂ）に印加される。したがって、周知のように、第１電圧可変容量素子８ａの接続した共振回路１の共振周波数が、厳格には水晶振動子から見た負荷容量が温度に依存して変化する。また、同様に、第２電圧可変容量素子８ｂの接続した水晶共振子６の共振周波数も変化する。
【００２０】
これにより、前第４図の曲線ロ（点線）で示すように、周波数温度特性とは逆の周波数特性となる補償電圧Ｖcによって、水晶振動子３及び水晶共振子６の周波数温度特性を温度補償して平坦にできる。
【００２１】
これらのことから、恒温槽を使用することなく、温度補償機構によって水晶振動子３及び水晶共振子６を温度補償するので、位相雑音を小さくして小型化及び小電力化を促進する。そして、水晶振動子３による発振周波数と水晶共振子６の共振周波数とが規格温度内で略一致するので、起動特性を良好にして発振を確実にする。
【００２２】
（他の事項）上記実施例では温度補償機構は間接型としたが、サーミスタとコンデンサからなる所謂直接型であってもよい。この場合、例えば第２図に示したように、水晶振動子３及び水晶共振子６にサーミスタとコンデンサの並列回路からなる高温及び低温補償回路を接続すればよい。
【図面の簡単な説明】
【００２３】
【図１】本発明の一実施例を説明する水晶発振器の回路図である。
【図２】本発明の他の実施例を説明する温度補償機構の回路図である。
【図３】従来例を説明する水晶発振器の回路図である。
【図４】従来例を説明する周波数温度特性図である。
【符号の説明】
【００２４】
１  共振回路、２  発振用トランジスタ、３  水晶振動子、４（ａｂ）  分割コンデンサ、５  出力線、６  水晶共振子、７  補償電圧発生回路（ＴＣＮ）、８  電圧可変容量素子。
【図１】
2005277917.tif 000003
【図２】
2005277917.tif 000004
【図３】
2005277917.tif 000005
【図４】
2005277917.tif 000006